(57)【要約】【課題】構成部品の増加や端子金具の挿抜性の悪化といった問題を招くことなく、振動環境下における端子金具のガタ付きを抑制して、安定した電気的接続性能を維持することのできるコネクタを提供すること。【解決手段】第１ハウジング２０の雌端子収容部２１は、雌端子収容孔２１１の一側に連通すると共に前記雌端子収容孔２１１と平行に延在して２１の先端面に開口する規制片挿入孔２１４を備え、第２ハウジング４０は、雌端子収容部２１が嵌合する筒状部４１の内底面４１ｂに、規制片挿入孔２１４に挿通するガタ規制片４３を備え、ハウジング相互を嵌合接続させた状態では、ガタ規制片４３が雌端子収容部２１内の雌端子金具１０の一面を押圧して、雌端子金具１０のガタ付きを抑止する。【選択図】図２
2014137866.tif 000002
【特許請求の範囲】
【請求項１】
雌端子金具を保持する雌端子収容部を備えた第１ハウジングと、前記雌端子金具に嵌合する舌片状の端子先端部を有する雄端子金具を保持して前記第１ハウジングと嵌合接続される第２ハウジングと、を備えるコネクタであって、
前記雌端子収容部は、前記雌端子金具を収容する雌端子収容孔と、前記雌端子収容孔と連通して前記雌端子収容部の先端面に開口し、前記舌片状の端子先端部が挿通可能な雄端子挿入孔と、前記雌端子収容孔の一側に連通すると共に前記雌端子収容孔と平行に延在して前記雌端子収容部の先端面に開口する規制片挿入孔と、を備え、
前記第２ハウジングは、前記雌端子収容部が嵌合する筒状部と、該筒状部に嵌合した前記雌端子収容部内の前記雌端子金具に前記端子先端部が嵌合するように前記雄端子金具を保持する雄端子収容部と、前記筒状部に嵌合した前記雌端子収容部の前記規制片挿入孔に挿通するように前記雌端子収容部の先端面と対向する前記筒状部の内底面に突設されたガタ規制片と、を備え、
前記第１ハウジングと前記第２ハウジングとを嵌合接続させた状態では、前記ガタ規制片が前記雌端子収容部内の前記雌端子金具の一面を押圧して、前記雌端子金具のガタ付きを抑止することを特徴とするコネクタ。
【請求項２】
請求項１に記載のコネクタであって、
前記雌端子収容部は、前記雌端子金具の挿入途中では前記雌端子金具との干渉によって前記雌端子収容孔の外側に弾性変位し、前記雌端子金具の挿入が完了した時には弾性復元力で前記雌端子収容孔内に突出した状態に戻って前記雌端子金具を抜け止めする端子係止ランスを備えると共に、前記規制片挿入孔内が前記端子係止ランスの弾性変位を許容する空間となるように前記端子係止ランスが配置されていることを特徴とするコネクタ。
【請求項３】
請求項１又は２に記載のコネクタであって、
前記ガタ規制片を、前記端子先端部の先端よりも先方に突出させていることを特徴とするコネクタ。
【発明の詳細な説明】
【技術分野】
【０００１】
本発明は、コネクタに関する。
【背景技術】
【０００２】
車載のワイヤハーネスに使用されるコネクタでは、振動環境下における端子金具のガタ付きに起因した電気的接続性能の低下を抑止することから、ガタ付きを防止する手段を講じることが重要である。
下記の特許文献１及び特許文献２には、コネクタにおけるガタ付きを防止する技術が開示されている。
【０００３】
下記特許文献１に開示されたガタ付き防止技術では、図１８に示すように、雌端子金具１１０を収容するハウジング１００を、雌端子金具１１０を収容保持した樹脂製の端子収容部材１２０と、該端子収容部材１２０を挿抜可能な樹脂製のケース１３０と、で構成している。
【０００４】
また、端子収容部材１２０は、雌端子金具１１０が挿入される端子収容孔１２１を画成している上壁１２２に、端子係止ランス１２３を備えている。
【０００５】
端子係止ランス１２３は、端子収容孔１２１に対する雌端子金具１１０の挿抜方向（図１８の矢印Ｘ１方向）と直交する方向（図１８では、矢印Ｙ１方向）に撓み変形可能な弾性片１２３ａと、この弾性片１２３ａから端子収容孔１２１内に突出した端子係止突起１２３ｂと、端子係止突起１２３ｂから外方に突出したガタ止め用突起１２３ｃと、を備えている。
【０００６】
特許文献１における端子係止ランス１２３は、端子係止突起１２３ｂを雌端子金具１１０の段差部１１１に係合させることで、雌端子金具１１０を抜け止めする。また、端子係止ランス１２３は、端子収容部材１２０がケース１３０に挿入された際に、ガタ止め用突起１２３ｃがケース１３０の上部壁１３１により押圧されて、雌端子金具１１０側に弾性変形した状態になり、この時にガタ止め用突起１２３ｃから上部壁１３１に作用する弾性反力により、端子収容部材１２０をガタ止めする。
【０００７】
下記特許文献２に開示されたガタ付き防止技術は、ハウジング内に、雌端子金具の外面に対向する可撓性バンド部と、該可撓性バンド部に突設されて前記雌端子金具の外面に前記雌端子金具の挿抜方向と直交する方向の押圧力を付与する位置規制用突起と、を装備したものである。即ち、特許文献２では、ハウジング内の雌端子金具に、直接、挿抜方向と直交する方向の押圧力を付与することで、雌端子金具のガタ付きを防止する。
【先行技術文献】
【特許文献】
【０００８】
【特許文献１】特開２０１０−１４０８０６号公報
【特許文献２】特開２０１２−８４４０４号公報
【発明の概要】
【発明が解決しようとする課題】
【０００９】
しかし、特許文献１に開示の技術では、雌端子金具を収容するハウジングが端子収容部材１２０とケース１３０との組立構造であり、ハウジング構成部品が増加するという問題があった。
【００１０】
また、特許文献２に開示の技術では、ハウジングに雌端子金具を挿抜する際に、雌端子金具に挿入方向と直交する方向の押圧力が作用するため、雌端子金具の挿抜に大きな操作力が必要となり、端子金具の挿抜性が悪いという問題があった。
【００１１】
そこで、本発明の目的は、上記課題を解消することに係り、構成部品の増加や端子金具の挿抜性の悪化といった問題を招くことなく、振動環境下における端子金具のガタ付きを抑制して、安定した電気的接続性能を維持することのできるコネクタを提供することにある。
【課題を解決するための手段】
【００１２】
本発明の前述した目的は、下記の構成により達成される。
（１）  雌端子金具を保持する雌端子収容部を備えた第１ハウジングと、前記雌端子金具に嵌合する舌片状の端子先端部を有する雄端子金具を保持して前記第１ハウジングと嵌合接続される第２ハウジングと、を備えるコネクタであって、
前記雌端子収容部は、前記雌端子金具を収容する雌端子収容孔と、前記雌端子収容孔と連通して前記雌端子収容部の先端面に開口し、前記舌片状の端子先端部が挿通可能な雄端子挿入孔と、前記雌端子収容孔の一側に連通すると共に前記雌端子収容孔と平行に延在して前記雌端子収容部の先端面に開口する規制片挿入孔と、を備え、
前記第２ハウジングは、前記雌端子収容部が嵌合する筒状部と、該筒状部に嵌合した前記雌端子収容部内の前記雌端子金具に前記端子先端部が嵌合するように前記雄端子金具を保持する雄端子収容部と、前記筒状部に嵌合した前記雌端子収容部の前記規制片挿入孔に挿通するように前記雌端子収容部の先端面と対向する前記筒状部の内底面に突設されたガタ規制片と、を備え、
前記第１ハウジングと前記第２ハウジングとを嵌合接続させた状態では、前記ガタ規制片が前記雌端子収容部内の前記雌端子金具の一面を押圧して、前記雌端子金具のガタ付きを抑止することを特徴とするコネクタ。
【００１３】
（２）  上記（１）に記載のコネクタであって、
前記雌端子収容部は、前記雌端子金具の挿入途中では前記雌端子金具との干渉によって前記雌端子収容孔の外側に弾性変位し、前記雌端子金具の挿入が完了した時には弾性復元力で前記雌端子収容孔内に突出した状態に戻って前記雌端子金具を抜け止めする端子係止ランスを備えると共に、前記規制片挿入孔内が前記端子係止ランスの弾性変位を許容する空間となるように前記端子係止ランスが配置されていることを特徴とするコネクタ。
【００１４】
（３）  上記（１）又は（２）に記載のコネクタであって、
前記ガタ規制片を、前記端子先端部の先端よりも先方に突出させていることを特徴とするコネクタ。
【００１５】
上記（１）の構成によれば、第１ハウジングと第２ハウジングとを嵌合接続させると、それぞれのハウジングに収容されている雌端子金具と雄端子金具とが嵌合する一方、第２ハウジングに装備されているガタ規制片が第１ハウジングの規制片挿入孔に進入する。そして、第１ハウジングの規制片挿入孔に進入したガタ規制片は、第１ハウジング内の雌端子金具の一面を押圧して、雌端子金具のガタ付きを抑止する。
【００１６】
即ち、上記（１）の構成によれば、雌端子金具のガタ付きの抑止は、第２ハウジングの筒状部の内底面に突設されたガタ規制片によって行うもので、第２ハウジング自体は単一部品で済むため、構成部品の増加を招かない。
【００１７】
また、第２ハウジングに装備されるガタ規制片は、当該第２ハウジングへの雄端子金具の挿抜には何ら関与せず、また、第１ハウジングへの雌端子金具の挿抜にも関与しない。即ち、ガタ規制片は、それぞれのハウジングにおける端子金具の挿抜時には、いずれの端子金具にも接触しないため、端子金具の挿抜に大きな操作力が必要となることもない。従って、端子金具の挿抜性の悪化といった問題を招くこともない。
【００１８】
従って、上記（１）の構成によれば、構成部品の増加や端子金具の挿抜性の悪化といった問題を招くことなく、振動環境下における端子金具のガタ付きを抑制して、安定した電気的接続性能を維持することができる。
【００１９】
上記（２）の構成によれば、第１ハウジングの雌端子収容孔に挿入された雌端子金具が嵌合途中で停止した半嵌合状態の場合、端子係止ランスが規制片挿入孔内に撓んでいる。そのため、半嵌合状態の第１ハウジングと第２ハウジングとを嵌合接続しようとすると、規制片挿入孔内に進入する第２ハウジングのガタ規制片が、規制片挿入孔内に撓んでいる端子係止ランスと衝突し、ハウジング相互の嵌合を完了させることができない。
即ち、ガタ規制片が雌端子金具の半嵌合状態を検知する半嵌合検知手段として機能し、雌端子金具の半嵌合状態の見落としを防止することができる。
【００２０】
上記（３）の構成によれば、ガタ規制片が端子先端部の先端よりも先方に突出しているため、第２ハウジングの保管時や運搬時において、外部機材等が筒状部内に進入しても、雄端子金具の舌片状の端子先端部と外部機材等との接触を、ガタ規制片が防ぐ。即ち、ガタ規制片が雄端子金具の端子先端部を保護し、前記端子先端部の変形や破損を防止することができる。
【発明の効果】
【００２１】
本発明によるコネクタによれば、構成部品の増加や端子金具の挿抜性の悪化といった問題を招くことなく、振動環境下における端子金具のガタ付きを抑制して、安定した電気的接続性能を維持することができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は本発明に係るコネクタの一実施形態の第１ハウジングと第２ハウジングとを嵌合接続させた状態の斜視図である。
【図２】図２は図１に示したコネクタの縦断面図である。
【図３】図３は図１に示した雌端子金具の前方斜め上方から視た斜視図である。
【図４】図４は図１に示した雌端子金具の前方斜め下方から視た斜視図である。
【図５】図５は図１に示した第１ハウジングの斜視図である。
【図６】図６は図１に示した第１ハウジングにおける端子金具の抜け止め構造を示す拡大斜視図である。
【図７】図７は図６に示した端子金具の抜け止め構造の拡大縦断面図である。
【図８】図８は図１に示した雄端子金具の前方斜め上方から視た斜視図である。
【図９】図９は図１に示した雄端子金具の前方斜め下方から視た斜視図である。
【図１０】図１０は図１に示した第２ハウジングの斜視図である。
【図１１】図１１は図１０に示した第２ハウジングの正面図である。
【図１２】図１２は図１０に示した第２ハウジングの筒状部内の構造を示す斜視図である。
【図１３】図１３は図１に示した第２ハウジングの縦断面図である。
【図１４】図１４は図２に示したハウジング相互の嵌合状態の要部の拡大図である。
【図１５】図１５は一実施形態の第１ハウジングにおける雌端子金具の半嵌合状態を示す拡大断面図である。
【図１６】図１６は雌端子金具が半嵌合状態にある第１ハウジングと第２ハウジングとの嵌合状態を示す要部の縦断面図である。
【図１７】図１７は図１６の要部の拡大図である。
【図１８】図１８は従来のコネクタの要部の縦断面図である。
【発明を実施するための形態】
【００２４】
以下、本発明に係るコネクタの好適な実施形態について、図面を参照して詳細に説明する。
【００２５】
図１〜図１７は本発明に係るコネクタの一実施形態を示したもので、図１は本発明に係るコネクタの一実施形態の第１ハウジングと第２ハウジングとを嵌合接続させた状態の斜視図、図２は図１に示したコネクタの縦断面図、図３は図１に示した雌端子金具の前方斜め上方から視た斜視図、図４は図１に示した雌端子金具の前方斜め下方から視た斜視図、図５は図１に示した第１ハウジングの斜視図、図６は図１に示した第１ハウジングにおける端子金具の抜け止め構造を示す拡大斜視図、図７は図６に示した端子金具の抜け止め構造の拡大縦断面図、図８は図１に示した雄端子金具の前方斜め上方から視た斜視図、図９は図１に示した雄端子金具の前方斜め下方から視た斜視図、図１０は図１に示した第２ハウジングの斜視図である。また、図１１は図１０に示した第２ハウジングの正面図、図１２は図１０に示した第２ハウジングの筒状部内の構造を示す斜視図、図１３は図１に示した第２ハウジングの縦断面図、図１４は図２に示したハウジング相互の嵌合状態の要部の拡大図、図１５は一実施形態の第１ハウジングにおける雌端子金具の半嵌合状態を示す拡大断面図、図１６は雌端子金具が半嵌合状態にある第１ハウジングと第２ハウジングとの嵌合状態を示す要部の縦断面図、図１７は図１６の要部の拡大図である。
【００２６】
この一実施形態のコネクタ１は、図１及び図２に示すように、雌端子金具１０を保持する第１ハウジング２０と、雌端子金具１０に嵌合する雄端子金具３０を保持して第１ハウジング２０と嵌合接続される第２ハウジング４０と、を備える。
【００２７】
雌端子金具１０は、金属板のプレス成形品で、図３及び図４に示すように、雄端子金具３０の舌片状の端子先端部３１が嵌合する角筒状の端子嵌合部１１と、電線５１（図２参照）の芯線を圧着する芯線加締め片１２と、電線５１の被覆部の上に加締め付けられて電線５１を固定する被覆加締め片１３と、を備えている。
【００２８】
また、図４に示すように、端子嵌合部１１の底面部１１ａには、ランス係合部１５と、ランス嵌入孔１６と、が装備されている。
【００２９】
ランス係合部１５は、端子嵌合部１１の底面部１１ａから下方（図２では、矢印Ｘ２方向）に隆起した構造で、後述する第１ハウジング２０内の端子係止ランス２１３と係合することで、抜け止めを果たす。
【００３０】
ランス嵌入孔１６は、ランス係合部１５に係合する端子係止ランス２１３の外面側が没入可能な開口である。
【００３１】
第１ハウジング２０は、図５に示すように、雌端子金具１０を保持する雌端子収容部２１と、該雌端子収容部２１の上面に装備されたロックアーム２２と、を備える。
【００３２】
雌端子収容部２１は、図１及び図２に示すように、雌端子金具１０を収容する雌端子収容孔２１１と、雄端子挿入孔２１２と、端子係止ランス２１３と、規制片挿入孔２１４（図７参照）と、を備えている。
【００３３】
雌端子収容孔２１１は、図１に示すように、第１ハウジング２０の後端部に開放していて、第１ハウジング２０の後方から雌端子金具１０が挿入される。
【００３４】
雄端子挿入孔２１２は、図６及び図７に示すように、雌端子収容部２１の先端面に開口した孔で、雌端子収容孔２１１と連通している。この雄端子挿入孔２１２は、後述する雄端子金具３０の舌片状の端子先端部３１が挿通可能な孔である。
【００３５】
端子係止ランス２１３は、図６及び図７に示すように、雌端子金具１０の底面部１１ａと対向する雌端子収容孔２１１の底面に、装備されている。この端子係止ランス２１３は、雌端子収容孔２１１への雌端子金具１０の挿入方向に沿って延在する弾性片である。この端子係止ランス２１３は、雌端子金具１０の挿入途中では、雌端子金具１０の底面部１１ａとの干渉によって雌端子収容孔２１１の外側（図７では、矢印Ｙ２側）に弾性変位し、雌端子金具１０の挿入が完了した時には弾性復元力で雌端子収容孔２１１内に突出した状態に戻って、図２に示すように雌端子金具１０のランス係合部１５と係合した状態になり、雌端子金具１０を抜け止めする。
【００３６】
規制片挿入孔２１４は、図７に示すように、雌端子収容孔２１１の一側（底面側）に連通すると共に、雌端子収容孔２１１と平行に延在している孔である。この規制片挿入孔２１４は、雌端子収容部２１の先端面に開口していて、後述する第２ハウジング４０のガタ規制片４３を挿通させる。
【００３７】
本実施形態の場合、図７に示すように、規制片挿入孔２１４内が端子係止ランス２１３の弾性変位を許容する空間となるように、端子係止ランス２１３が配置されている。
【００３８】
第１ハウジング２０に装備されたロックアーム２２は、図５に示すように、雌端子収容部２１の先端側から後端に向かって延出した可撓アーム２２１に係合突起２２２を突設した構造である。このロックアーム２２は、ハウジング相互を嵌合させた時に、係合突起２２２が第２ハウジング４０の係止突起（ロックビーク）４１１と係合することで、ハウジング相互の接続状態をロックする。
【００３９】
雄端子金具３０は、金属板のプレス成形品で、図８及び図９に示すように、舌片状の端子先端部３１と、端子先端部３１の基端に連なる角筒状の端子中間部３２と、電線５２（図２参照）の芯線を圧着する芯線加締め片３３と、電線５２の被覆部の上に加締め付けられて電線５２を固定する被覆加締め片３４と、を備えている。
【００４０】
また、図９に示すように、端子中間部３２の底面部３２ａは、雌端子金具１０の端子嵌合部１１の底面部１１ａと同様の構造で、ランス係合部３５と、ランス嵌入孔３６と、が装備されている。
【００４１】
ランス係合部３５は、端子中間部３２の底面部３２ａから下方（図２では、矢印Ｘ３方向）に隆起した構造で、後述する第２ハウジング４０内の端子係止ランス４２１ａと係合することで、抜け止めを果たす。
【００４２】
ランス嵌入孔３６は、ランス係合部３５に係合する端子係止ランス４２１ａの外面側が没入可能な開口である。
【００４３】
第２ハウジング４０は、図１０〜図１３に示すように、雌端子収容部２１が嵌合する筒状部４１と、該筒状部４１の基端に連なる雄端子収容部４２と、筒状部４１内に突出したガタ規制片４３と、を備えている。
【００４４】
筒状部４１は、雌端子収容部２１を収容する角筒状である。この筒状部４１の先端側の内面には、係止突起４１１が突設されている。この係止突起４１１は、図２に示すように、筒状部４１に挿入された雌端子収容部２１上のロックアーム２２と係合することで、ハウジング相互の接続状態をロックする。
【００４５】
雄端子収容部４２は、図１３に示すように、雄端子金具３０が挿入される雄端子収容孔４２１を有している。雄端子収容孔４２１の一側面（図１３では、上部側面）には、端子係止ランス４２１ａが装備されている。また、雄端子収容部４２の外面には、図１１及び図１２に示すように、クランプ装着部４２３が装備されている。このクランプ装着部４２３は、第２ハウジング４０を車体等にクランプする場合に使用される。
【００４６】
この端子係止ランス４２１ａは、図１３に示すように、雄端子金具３０の底面部３２ａと対向する雄端子収容孔４２１の上面に、装備されている。この端子係止ランス４２１ａは、雄端子収容孔４２１への雄端子金具３０の挿入方向に沿って延在する弾性片である。この端子係止ランス４２１ａは、雄端子金具３０の挿入途中では、雄端子金具３０の底面部３２ａとの干渉によって雄端子収容孔４２１の外側（図１３では、矢印Ｙ３側）に弾性変位し、雄端子金具３０の挿入が完了した時には弾性復元力で雄端子収容孔４２１内に突出した状態に戻って、図１３に示すように雄端子金具３０のランス係合部３５と係合した状態になり、雄端子金具３０を抜け止めする。
【００４７】
雄端子収容部４２は、筒状部４１に嵌合した雌端子収容部２１内の雌端子金具１０に端子先端部３１が嵌合するように、端子先端部３１を筒状部４１内に突出させた状態に雄端子金具３０を保持する。
【００４８】
ガタ規制片４３は、図１３に示すように、雌端子収容部２１の先端面と対向する筒状部４１の内底面４１ｂに突設されている。ガタ規制片４３は、筒状部４１に嵌合した雌端子収容部２１の規制片挿入孔２１４に挿通するように、内底面４１ｂから雌端子収容部２１の嵌合方向に沿って突出している。
本実施形態の場合、このガタ規制片４３は、図１３に示すように、端子先端部３１の先端よりも先方に突出させている。
【００４９】
本実施形態のコネクタ１では、図１及び図２に示したように第１ハウジング２０と第２ハウジング４０とを嵌合接続させた状態では、図１４にも示すように、第２ハウジング４０のガタ規制片４３が第１ハウジング２０の規制片挿入孔２１４に進入し、雌端子収容部２１内の雌端子金具１０の一面（図１４では、下面）を押圧して、雌端子金具１０のガタ付きを抑止する。
【００５０】
以上に説明した一実施形態のコネクタ１の場合、第１ハウジング２０と第２ハウジング４０とを嵌合接続させると、それぞれのハウジング２０，４０に収容されている雌端子金具１０と雄端子金具３０とが図１４に示すように嵌合する一方、第２ハウジング４０に装備されているガタ規制片４３が第１ハウジング２０の規制片挿入孔２１４に進入する。そして、第１ハウジング２０の規制片挿入孔２１４に進入したガタ規制片４３は、第１ハウジング２０内の雌端子金具１０の一面（図１４では、下面）を押圧して、雌端子金具１０のガタ付きを抑止する。
【００５１】
即ち、一実施形態のコネクタ１では、雌端子金具１０のガタ付きの抑止は、第２ハウジング４０の筒状部４１の内底面４１ｂに突設されたガタ規制片４３によって行うもので、第２ハウジング４０自体は単一部品で済むため、構成部品の増加を招かない。
【００５２】
また、第２ハウジング４０に装備されるガタ規制片４３は、当該第２ハウジング４０への雄端子金具３０の挿抜には何ら関与せず、また、第１ハウジング２０への雌端子金具１０の挿抜にも関与しない。即ち、ガタ規制片４３は、それぞれのハウジング２０，４０における端子金具の挿抜時には、いずれの端子金具にも接触しないため、端子金具の挿抜に大きな操作力が必要となることもない。従って、端子金具１０，３０の挿抜性の悪化といった問題を招くこともない。
【００５３】
従って、一実施形態のコネクタ１では、構成部品の増加や端子金具の挿抜性の悪化といった問題を招くことなく、振動環境下における端子金具１０，３０のガタ付きを抑制して、安定した電気的接続性能を維持することができる。
【００５４】
また、一実施形態のコネクタ１の場合、図１５に示すように第１ハウジング２０の雌端子収容孔２１１に挿入された雌端子金具１０が嵌合途中で停止した半嵌合状態の場合、端子係止ランス２１３が規制片挿入孔２１４内に撓んでいる。そのため、半嵌合状態の第１ハウジング２０と第２ハウジング４０とを嵌合接続しようとすると、規制片挿入孔２１４内に進入する第２ハウジング４０のガタ規制片４３が、規制片挿入孔２１４内に撓んでいる端子係止ランス２１３と衝突し、ハウジング相互の嵌合を完了させることができない。
【００５５】
即ち、ガタ規制片４３が雌端子金具１０の半嵌合状態を検知する半嵌合検知手段として機能し、雌端子金具１０の半嵌合状態の見落としを防止することができる。
【００５６】
また、一実施形態のコネクタ１の場合、図１３に示すようにガタ規制片４３が端子先端部３１の先端よりも先方に突出しているため、第２ハウジング４０の保管時や運搬時において、外部機材等が筒状部４１内に進入しても、雄端子金具３０の舌片状の端子先端部３１と外部機材等との接触を、ガタ規制片４３が防ぐ。即ち、ガタ規制片４３が雄端子金具３０の端子先端部３１を保護し、端子先端部３１の変形や破損を防止することができる。
【００５７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５８】
ここで、上述した本発明に係るコネクタの実施形態の特徴をそれぞれ以下［１］〜［３］に簡潔に纏めて列記する。
【００５９】
［１］  雌端子金具（１０）を保持する雌端子収容部（２１）を備えた第１ハウジング（２０）と、前記雌端子金具（１０）に嵌合する舌片状の端子先端部（３１）を有する雄端子金具（３０）を保持して前記第１ハウジング（２０）と嵌合接続される第２ハウジング（４０）と、を備えるコネクタ（１）であって、
前記雌端子収容部（２１）は、前記雌端子金具（１０）を収容する雌端子収容孔（２１１）と、前記雌端子収容孔（２１１）と連通して前記雌端子収容部（２１）の先端面に開口し、前記舌片状の端子先端部（３１）が挿通可能な雄端子挿入孔（２１２）と、前記雌端子収容孔（２１１）の一側に連通すると共に前記雌端子収容孔（２１１）と平行に延在して前記雌端子収容部（２１）の先端面に開口する規制片挿入孔（２１４）と、を備え、
前記第２ハウジング（４０）は、前記雌端子収容部（２１）が嵌合する筒状部（４１）と、該筒状部（４１）に嵌合した前記雌端子収容部（２１）内の前記雌端子金具（１０）に前記端子先端部（３１）が嵌合するように前記雄端子金具（３０）を保持する雄端子収容部（４２）と、前記筒状部（４１）に嵌合した前記雌端子収容部（２１）の前記規制片挿入孔（２１４）に挿通するように前記雌端子収容部（２１）の先端面と対向する前記筒状部（４１）の内底面（４１ｂ）に突設されたガタ規制片（４３）と、を備え、
前記第１ハウジング（２０）と前記第２ハウジング（４０）とを嵌合接続させた状態では、前記ガタ規制片（４３）が前記雌端子収容部（２１）内の前記雌端子金具（１０）の一面を押圧して、前記雌端子金具（１０）のガタ付きを抑止することを特徴とするコネクタ（１）。
【００６０】
［２］  上記［１］に記載のコネクタ（１）であって、
前記雌端子収容部（２１）は、前記雌端子金具（１０）の挿入途中では前記雌端子金具（１０）との干渉によって前記雌端子収容孔（２１１）の外側に弾性変位し、前記雌端子金具（１０）の挿入が完了した時には弾性復元力で前記雌端子収容孔（２１１）内に突出した状態に戻って前記雌端子金具（１０）を抜け止めする端子係止ランス（２１３）を備えると共に、前記規制片挿入孔（２１４）内が前記端子係止ランス（２１３）の弾性変位を許容する空間となるように前記端子係止ランス（２１３）が配置されていることを特徴とするコネクタ（１）。
【００６１】
［３］  上記［１］又は［２］に記載のコネクタ（１）であって、
前記ガタ規制片（４３）を、前記端子先端部（３１）の先端よりも先方に突出させていることを特徴とするコネクタ（１）。
【符号の説明】
【００６２】
１  コネクタ
１０  雌端子金具
２０  第１ハウジング
２１  雌端子収容部
３０  雄端子金具
３１  端子先端部
４０  第２ハウジング
４１  筒状部
４２  雄端子収容部
４１ｂ  内底面
４３  ガタ規制片
２１１  雌端子収容孔
２１２  雄端子挿入孔
２１３  端子係止ランス
２１４  規制片挿入孔
【図１】
2014137866.tif 000003
【図２】
2014137866.tif 000004
【図３】
2014137866.tif 000005
【図４】
2014137866.tif 000006
【図５】
2014137866.tif 000007
【図６】
2014137866.tif 000008
【図７】
2014137866.tif 000009
【図８】
2014137866.tif 000010
【図９】
2014137866.tif 000011
【図１０】
2014137866.tif 000012
【図１１】
2014137866.tif 000013
【図１２】
2014137866.tif 000014
【図１３】
2014137866.tif 000015
【図１４】
2014137866.tif 000016
【図１５】
2014137866.tif 000017
【図１６】
2014137866.tif 000018
【図１７】
2014137866.tif 000019
【図１８】
2014137866.tif 000020